(57)【要約】【課題】本発明、簡単な構造で、省スペースで安全な漏電遮断器を提供することを目的としている。【解決手段】本発明に係る漏電遮断器のマグネットユニット１において、マグネットユニット１は、少なくとも、擬似漏電回路を開閉するテストボタン２と、テストボタン２に連動するテスト端子３と、擬似漏電回路が閉路した時に電流が流れる巻線４と、電流の働きにより動作するプランジャー５と漏電を表示する表示ボタン９とから構成され、プランジャー５の動作に連動して擬似漏電回路を開閉するクリップ７を設け、漏電遮断器がトリップすると同時に擬似漏電回路を回路させて、巻線４の焼損を防ぐと共に、漏電遮断器の逆接続を可能とする。【選択図】図１
2007095616.tif 000002
【特許請求の範囲】
【請求項１】
擬似漏電回路を具備する漏電遮断器であって、該漏電遮断器には、巻線の電流が流れることによりプランジャーを動作させ擬似漏電回路を開閉する機能を有するマグネットユニットが搭載され、該マグネットユニットは、少なくとも、前記擬似漏電回路を開閉するテストボタンと、該テストボタンに連動するテスト端子と、前記擬似漏電回路が閉路した時に電流が流れる巻線と、前記電流の働きにより動作するプランジャーと漏電を表示する表示ボタンとから構成され、前記プランジャーの動作に連動して前記擬似漏電回路を開閉するクリップを設け、前記漏電遮断器がトリップすると同時に前記擬似漏電回路を開路させて、前記巻線の焼損を防ぐと共に、前記漏電遮断器の逆接続を可能とすることを特徴とする漏電遮断器。
【発明の詳細な説明】
【技術分野】
【０００１】
本発明は、擬似漏電回路を具備する漏電遮断器に関するものである。
【背景技術】
【０００２】
漏電遮断器が漏電を検知して正常に動作するかどうかをみるため、テストボタンが設けられている。このテストボタンを指で押すと擬似漏電回路が動作し、遮断器の開閉機構部が開路されることで、漏電遮断器をトリップさせていた。漏電遮断器を逆接続した場合、漏電遮断器の二次側よりマグネットコイルに電源を供給しているため、人がテストボタンを長時間押し続けると、マグネットコイルが焼損する虞があった。
【０００３】
そこで、その危険を防ぐため、テストボタンが押されると同時にテストボタンがロックされ、何度もテストボタンを押すことができないようにしていた。しかしながら、テストボタンを人が押すという方法では、テストボタンの押部品に直接人為的な負荷がかかるため、確実な動作が得られなかったり、テストボタンを破損してしまう虞があった。
【０００４】
また、別の方法として、遮断器の開閉機構に連動させて強制的に擬似漏電テスト回路を開路する方法が開発された。例えば、リミットスイッチ等を用いて開閉機構の接点が開路するとスイッチが入り、擬似漏電回路も開路するものがある。また、遮断器が開路すると電子部品に供給される電源接点も同時に開路する方法もある。
【特許文献１】特開２００３−１６２９５１号公報
【特許文献２】特開２００３−０５９３８７号公報
【特許文献３】特開２００２−２１６６１２号公報
【特許文献４】特開２００１−１１８４８６号公報
【特許文献５】特開平８−１６１９９７号公報
【特許文献６】特開平８−０９６６９２号公報
【特許文献７】特開平５−３４２９７６号公報
【発明の開示】
【発明が解決しようとする課題】
【０００５】
上記従来技術のリミットスイッチ等を用いる方法では、人為的な誤操作等は避けられるが、部品点数が増え、コストが上がると共に、リミットスイッチが漏電遮断器内のスペースをとって、他の部品を組み込む余裕がなくなってしまい漏電遮断器の小型化を阻害するという欠点があった。
【課題を解決するための手段】
【０００６】
そこで本発明は、簡単な構造で、省スペースで安全な漏電遮断器を提供することを目的とし、マグネットユニットは、少なくとも、擬似漏電回路を開閉するテストボタンと、テストボタンに連動するテスト端子と、擬似漏電回路が閉路した時に電流が流れる巻線と、電流の働きにより動作するプランジャーと漏電を表示する表示ボタンとから構成され、プランジャーの動作に連動して擬似漏電回路を開閉するクリップを設け、漏電遮断器がトリップすると同時に擬似漏電回路を開路させて、巻線の焼損を防ぐと共に、漏電遮断器の逆接続を可能とすることを特徴とする。
【発明の効果】
【０００７】
本発明に係る漏電遮断器のマグネットユニットは、少なくとも、擬似漏電回路を開閉するテストボタンと、テストボタンに連動するテスト端子と、擬似漏電回路が閉路した時に電流が流れる巻線と、電流の働きにより動作するプランジャーと漏電を表示する表示ボタンとから構成され、プランジャーの動作に連動して擬似漏電回路を開閉するクリップを設け、漏電遮断器がトリップすると同時に擬似漏電回路を開路させて、巻線の焼損を防ぐと共に、漏電遮断器の逆接続を可能とするため、省スペースで安価な漏電遮断器を提供できる。従来用いていたリミットスイッチを置いていたスペースが不要となり、代わりに警報や補助接点を配置することができる。また、漏電遮断器全体の大きさを抑えることもできる。
【発明を実施するための最良の形態】
【０００８】
簡単な構造で、省スペースで安全な漏電遮断器を提供するという目的を、最小の部品点数で、高い安全性を損なわずに実現した。
【実施例１】
【０００９】
漏電遮断器は、電源側と負荷側とにそれぞれ３つの端子を設けている。漏電遮断器は、３つの端子のうち、両側の２つから電源をとっている。太陽光発電システムに接続されるような場合には、電源側と負荷側とを反対に接続する逆接続を行う場合がある。
【００１０】
本発明に係る漏電遮断器のマグネットユニットの実施例を図１〜図２の添付図面に基づいて説明する。
【００１１】
本発明に係る漏電遮断器に搭載されるマグネットユニット１は、漏電遮断器内部の零相変流器が実際に漏電を検知して瞬時に引き外し機構部で動作させるための回路を有する。マグネットユニット１にはテストボタン２が設けられ、テスト端子３はテストボタン２に連動するように取り付けられる。マグネットユニット１には、電流の流れる巻線４があり、巻線４に電流が流れた時に動作するプランジャー５を設ける。プランジャー５の上部には凸部６が形成されている。
【００１２】
マグネットユニット１にクリップ７を設け接点とする。クリップ７はばねで形成されており、付勢されているが、ある特定の位置に来ると、付勢方向が変わる特性がある。通常、プランジャー５がマグネットユニット１の外側に位置し、クリップ７は上方に付勢されていて、プランジャー５に形成された凸部６に掛かり、テスト端子３とクリップ７とは閉路となっている。さらにテストボタン４を押すと、擬似漏電開路が閉路となり巻線４に電流が流れ、プランジャー５がマグネットユニット１の内側に移動する。この時、クリップ７もプランジャー５と共に動作し、クリップ７を構成するばねの特性上、クリップ７がプランジャー５が移動することで下方への付勢に変わり、擬似漏電回路はクリップ７のところで開路となる。
【００１３】
マグネットユニット１には上方に付勢された圧縮スプリング８に支持された表示ボタン９が設けられている。漏電遮断器において漏電が検出された時に、プランジャー５に連動して上方へ跳ね上がる機構を有する。プランジャー５には、ねじりスプリングプランジャー１０が引っ掛けられていて、プランジャー５の動きを制御している。プランジャー５が作動して移動した時に、ねじりスプリングプランジャー１０がプランジャー５に引っ掛かってプランジャー５を戻す力が働くが、クリップ７がそのばねの性質上、元の安定した位置に戻ろうとするため、表示ボタン９を押して、プランジャー５を完全に元の位置に戻さない限り、擬似漏電遮断回路は開路状態が保持される。
【００１４】
以上のように、仮に人がテストボタン２を押し続けても、マグネットユニット１の巻線４には電流は流れ続けずに焼損等が起こらないため、漏電遮断器の逆接続は可能となる。
【実施例２】
【００１５】
本発明に係る漏電遮断器のマグネットユニット１１は、図１〜図２に示す位置や形状に限定されるものではなく、図３〜図４に示すように、プランジャー１２に対するクリップ１３の当接する位置は変更可能である。プランジャー１２の凸部１４の位置もクリップ１３に合わせて形成し、プランジャー１２の動きに連動してクリップ１３を動作させ回路を開閉する。
【産業上の利用可能性】
【００１６】
漏電遮断器のマグネットユニットにクリップという接点を設けることにより、回路を確実に開閉することができ、漏電遮断器を逆接続する用途にも適用できる。
【図面の簡単な説明】
【００１７】
【図１】本発明に係る漏電遮断器のマグネットユニットが閉路の状態を示す説明図である。（実施例１）
【図２】本発明に係る漏電遮断器のマグネットユニットが開路の状態を示す説明図である。（実施例１）
【図３】本発明に係る漏電遮断器のマグネットユニットが閉路の状態を示す説明図である。（実施例２）
【図４】本発明に係る漏電遮断器のマグネットユニットが開路の状態を示す説明図である。（実施例２）
【符号の説明】
【００１８】
１    マグネットユニット
２    テストボタン
３    テスト端子
４    巻線
５    プランジャー
６    凸部
７    クリップ
８    圧縮スプリング
９    表示ボタン
１０  ねじりスプリングプランジャー
１１  マグネットユニット
１２  プランジャー
１３  クリップ
１４  凸部
【図１】
2007095616.tif 000003
【図２】
2007095616.tif 000004
【図３】
2007095616.tif 000005
【図４】
2007095616.tif 000006